(57)【要約】【課題】  各種卓上機器の扉、特にエレクトロニクス業界で汎用され、小型化の著しく進んでいる卓上機器の扉について、ひいては卓上機器の開口部に関して、当該機器における操作性を向上させたものを提供する。【解決手段】  縦断面弧状の前面部と、この前面部の左右端に直交させて付設される扇形状の側面部で構成される扉体３であって、前記側面部の扇形状は、前記前面部の弧状と、その半径により形成され、前記扇形状の半径の長さは、前記扉体が取り付けられる筐体２の奥行きの少なくとも１／２以上の長さで、中心角が４５°以上として卓上機器用扉１を構成し、この扉体３の形状に応じた開口部を有している筐体２の装着して卓上機器としたものである。【選択図】      図１
2008290221.tif 000002
【特許請求の範囲】
【請求項１】
縦断面弧状の前面部と、この前面部の左右端に直交させて付設される扇形状の側面部で構成される扉体であって、
前記側面部の扇形状は、前記前面部の弧状と、その半径により形成され、
前記扇形状の半径の長さは、前記扉体が取り付けられる筐体の奥行きの少なくとも１／２以上の長さで、中心角が４５°以上であること
を特徴とする卓上機器用扉。
【請求項２】
前記側面部の扇形状は、
その半径の長さが、前記扉体が取り付けられる筐体の、奥行きの０．６〜０．７倍の長さ、中心角が６０〜８０°であること
を特徴とする請求項１に記載の卓上機器用扉。
【請求項３】
前記前面部と両側面部の主体部は、
プラスチック製の透明板で形成されていること
を特徴とする請求項１又は２に記載の卓上機器用扉。
【請求項４】
請求項１〜３のいずれかに記載の卓上機器用扉を備え、
その筐体は、前記扉体の形状に応じた開口部を有していること
を特徴とする卓上機器。
【請求項５】
前記扉体は、
その基端部が前記筐体のベース部上に軸によって回転自在に支承されるとともに、前記軸に付設された捩りコイルバネの付勢力によって、常時開放側に付勢されるよう構成されていること
を特徴とする請求項４に記載の卓上機器。
【請求項６】
前記扉体は、
前記筐体のベース部に設けられたぜんまいユニットの索条によって、常時開放側に付勢されるよう構成されていること
を特徴とする請求項４に記載の卓上機器。
【請求項７】
前記扉体は、
前記筐体のベース部と前記扉体の背面部との間に配置されたエアシリンダによって、衝撃を和らげながら開放位置に停止するよう構成されていること
を特徴とする請求項４に記載の卓上機器。
【請求項８】
前記扉体は、
前記筐体のベース上に付設されたラッチ装置によって、閉鎖位置から開放位置への移動が阻止されるよう構成されていること
を特徴とする請求項５又は６に記載の卓上機器。
【請求項９】
前記ラッチ装置は、
前記筐体ないで行なわれた操作の完了に応じて自動的に扉体の固定状態を解除し、扉体の開放状態への移動を可能にするものであること
を特徴とする請求項８に記載の卓上機器。
【請求項１０】
前記ラッチ装置は、
前記筐体内での操作を行なうことが可能とする機能を有するものであること
を特徴とする請求項８又は９に記載の卓上機器。
【発明の詳細な説明】
【技術分野】
【０００１】
この発明は、エレクトロニクス業界で多用されている各種卓上機器、特に、プリント基板や電子部品を実装した回路基板を取り扱う、例えば、基板の切断・分割、さらには、検査などに用いられる卓上機器用の扉、さらにまた、該扉の付設された卓上機器に関するものであって、特に、エレクトロニクス関連機器・装置関連技術に属するものである。
【背景技術】
【０００２】
エレクトロニクス業界では、各種各様の卓上機器が幅広く使用されている。
その具体例として、例えば、プリント基板の穴あけなどの加工機、基板の複数を一体化した多面取りの基板から、単位となる個々の実装基板に分離する切断・分割機、それらプリント基板の検査機などが挙げられる。
【０００３】
これらの卓上機器のより具体的な実例としては、実用新案登録第３０６９６２６号公報（特許文献１）に記載のプリント基板切断機が挙げられる。
特許文献１に記載のプリント基板切断機は、その図６，図７に示されるように、主体フレーム上に、カッターを有し、プリント基板を切断するためのベース台（以下、このように加工などを行なう部位を操作部という。）を有し、操作部の前面には開口部が設けられているものである。
【０００４】
前記操作部の前面の開口部は、特許文献１の段落番号０００３に示されているように、異なる形式のプリント基板に応じて、それぞれに対応するガイドの作業を行なうためのもので、プリント基板を操作部内に置き、目視でプリント基板加工位置を決定するために用いられるものである。
【０００５】
この特許文献１に記載のプリント基板切断機では、開口部に蓋や扉を設けることについては開示していないが、操作部の可動時に発生するおそれのある事故の防止や、操作部内に載置されたプリント基板の加工操作時における汚染を防止するために、通常は、開口部には蓋や扉、あるいはカバー（以下、それらを含めて扉という。）を設けられる。
【０００６】
また、特開２００１−１５３６４２号公報（特許文献２）には、プリント基板の表面状態を検査するプリント基板検査機が示されている。
このプリント基板検査機は、筐体をなす架台上に検査ユニット、すなわち、操作部が置かれ、操作部の前面には、開口自在な扉２１ａが設けられていることが示されている。
【０００７】
また、特開平１０−１３２８２７号公報（特許文献３）には、エレクトロ技術応用した、人間の血液や尿などの試料の成分分析や特定成分の測定検査用途などに用いられる試料検査装置が示されている。
この検査装置は、内部に試料検査用機器、すなわち、操作部を備えた筐体と、この筐体に設けられている開口部を開閉可能なように筐体に回転可能に連結された蓋体とからなることが示されている。
【０００８】
さらに、特開平１１−３４７８８４号公報（特許文献４）には、使い勝手がよく、保守作業を容易に行なうことができ、デザイン的にも優れた外形形状を持つプリント基板の穴明け装置が示されている。
このプリント基板の穴明け装置の前面には、上部と下部とに分割され開閉可能な扉が設けられ、上部の扉は上方に、下部の扉は下方に開くように構成されていることを示している。
【特許文献１】実用新案登録第３０６９６２６号公報  （請求項１，段落０００３，図６，図７）
【特許文献２】特開２００１−１５３６４２号号公報  （請求項２，段落００１８，図２）
【特許文献３】特開平１０−１３２８２７号公報      （請求項１，段落０００１）
【特許文献４】特開平１１−３４７８８４号公報      （要約）
【発明の開示】
【発明が解決しようとする課題】
【０００９】
上記に示したように、各種卓上機器は、通常、操作部に前面に開口部が設けられ、その開口部を利用して、加工などの操作が施される試料の出し入れ、試料の載置位置の確認、さらには、操作の確実な実行の確認などに利用されるものであって、その開口部は、加工などの操作中は、危険防止、汚染防止のために、扉によって閉鎖されている。
【００１０】
これらの目的に使用される開口部は、特許文献１のプリント基板切断機や、特許文献４におけるプリント基板の穴明け機のように、比較的大きくすることができる。
その際、作業者の頭の、操作部への挿入が可能な場合は、上記作業の遂行に大きな問題が生じない。
しかしながら、プリント基板の細密化に伴ない、機器も小型化されており、もともと、特許文献２や３の検査機器は小型化されているので、開口部も小さくなり、上記操作に支障をきたすことが多く、その改善が強く求められてきている。
【００１１】
特に、開口部を利用しての試料の出し入れ、すなわち、処理すべき試料の挿入と操作処理済試料の取り出しが、狭い開口部からの往復運動であるので、操作が煩雑になり、その工程の簡略化も強く望まれてきている。
【００１２】
発明はかかる現状に鑑み、各種卓上機器の扉、特にエレクトロニクス業界で汎用され、小型化の著しく進んでいる卓上機器の扉について、ひいては卓上機器の開口部に関して、当該機器における操作性を向上させたものを提供せんとするものである。
【課題を解決するための手段】
【００１３】
前記の目的を達成するため、この発明の請求項１に記載の発明は、
縦断面弧状の前面部と、この前面部の左右端に直交させて付設される扇形状の側面部で構成される扉体であって、
前記側面部の扇形状は、前記前面部の弧状と、その半径により形成され、
前記扇形状の半径の長さは、前記扉体が取り付けられる筐体の奥行きの少なくとも１／２以上の長さで、中心角が４５°以上であること
を特徴とする卓上機器用扉である。
【００１４】
また、この発明の請求項２に記載の発明は、
請求項１に記載の卓上機器用扉において、
前記側面部の扇形状は、
その半径の長さが、前記扉体が取り付けられる筐体の、奥行きの０．６〜０．７倍の長さ、中心角が６０〜８０°であること
を特徴とするものである。
【００１５】
また、この発明の請求項３に記載の発明は、
請求項１又は２に記載の卓上機器用扉において、
前記前面部と両側面部の主体部は、
プラスチック製の透明板で形成されていること
を特徴とするものである。
【００１６】
さらに、この発明の請求項４に記載の発明は、
請求項１〜３のいずれかに記載の卓上機器用扉を備え、
その筐体は、前記扉体の形状に応じた開口部を有していること
を特徴とする卓上機器である。
【００１７】
また、この発明の請求項５に記載の発明は、
請求項４に記載の卓上機器において、
前記扉体は、
その基端部が前記筐体のベース部上に軸によって回転自在に支承されるとともに、前記軸に付設された捩りコイルバネの付勢力によって、常時開放側に付勢されるよう構成されていること
を特徴とするものである。
【００１８】
また、この発明の請求項６に記載の発明は、
請求項４に記載の卓上機器において、
前記扉体は、
前記筐体のベース部に設けられたぜんまいユニットの索条によって、常時開放側に付勢されるよう構成されていること
を特徴とするものである。
【００１９】
また、この発明の請求項７に記載の発明は、
請求項４に記載の卓上機器において、
前記扉体は、
前記筐体のベース部と前記扉体の背面部との間に配置されたエアシリンダによって、衝撃を和らげながら開放位置に停止するよう構成されていること
を特徴とするものである。
【００２０】
また、この発明の請求項８に記載の発明は、
請求項５又は６に記載の卓上機器において、
前記扉体は、
前記筐体のベース上に付設されたラッチ装置によって、閉鎖位置から開放位置への移動が阻止されるよう構成されていること
を特徴とするものである。
【００２１】
また、この発明の請求項９に記載の発明は、
請求項８に記載の卓上機器において、
前記ラッチ装置は、
前記筐体ないで行なわれた操作の完了に応じて自動的に扉体の固定状態を解除し、扉体の開放状態への移動を可能にするものであること
を特徴とするものである。
【００２２】
また、この発明の請求項１０に記載の発明は、
請求項８又は９に記載の卓上機器において、
前記ラッチ装置は、
前記筐体内での操作を行なうことが可能とする機能を有するものであること
を特徴とするものである。
【発明の効果】
【００２３】
この発明の卓上機器用扉および卓上機器は、上記特徴ある構成を有しているため、以下のような優れた効果が奏されるものである。
【００２４】
すなわち、この発明の卓上機器用扉は、縦断面弧状の前面部に合わせて、その両側に扇形状の側面部を一体的に設けて扉体を構成しているので、この扉体が適用される卓上機器は、その側面も開放して開口部とすることができる。
したがって、この扉体が装着される筐体においては、筐体内への試料の出し入れに余裕ができ、特に、試料の出し入れを両側面から行うことも可能にし、試料の形体に応じて、出し入れに変化を持たせることができ、当該機器の取り扱い、操作性を著しく向上させるのである。
【００２５】
また、この発明の卓上機器用扉を、透明性を有するプラスチックなどで調製すると、卓上機器の操作部（筐体内）に載置された試料を、前面からだけでなく、側面からも観察することができ、試料の位置調整、仕上がり具合などをより容易に、しかも確実に観察することができる。
【００２６】
さらに、この発明の卓上機器用扉の開放を、捩りコイルバネ及び／又はぜんまいユニットを使用して行なうことによって、自動化することができる。
また、前記捩りコイルバネ及び／又はぜんまいユニットによる、扉体の開放操作に際して、前記捩りコイルバネ及び／又はぜんまいユニットの作用による筐体への衝撃を緩和させるエアシリンダを使用することによって、扉体の開放動作を非常に滑らかに行なうことができるとともに、開閉能力、すなわち、開閉に関しての機器寿命を著しく向上させることができる。
【００２７】
また、前記捩りコイルバネ及び／又はぜんまいユニットによる付勢力に抗して、扉体を閉状態に保持するラッチ装置を付設することによって、筐体内で行なわれる作業中には、扉体が開状態になることを防止し、作業が終了すると、自動的にラッチ装置を作動させることによって、扉体を自動的に開方向に作動させることが可能となって、安全性の高い卓上機器を提供することができる。
【発明を実施するための最良の形態】
【００２８】
以下、この発明にかかる卓上機器用扉および卓上機器の一例を、添付の図面を参照しながら詳細に説明する。
なお、この発明は、以下に述べる実施例にのみ限定されるものではなく、その要旨を変更しない範囲内において、種々変更を加えることが可能なものである。
また、卓上機器とは、卓上、机上に載置されるものだけでなく、特許文献１や４に示されるような、操作部の下に脚や架台を有し、それ自体床上に設置されるものをも含むものである。
【００２９】
図１は、この発明にかかる卓上機器の一例である基板切断機の斜視図、図２は、図１の基板切断機における卓上機器用扉の開閉機構を説明する概略側面図、図３は、同じく概略平面図である。
【００３０】
この発明における一実施例としての基板切断機１は、図１に示されるように、前面、側面および上部の一部が欠落して開口部が形成されている筐体２と、前記開口部を封鎖する縦断面弧状の前面部と、この前面部に対して直交するように設けられた両側面部とで形成され、前記側面部が、前記弧状とその半径により形成される扇形状の扉体３とから構成されている。
なお、前記筐体２の内部、すなわち、操作部には、先端部下方に切断用刃を有する切断具４と、この切断具４を縦横に搬送させる切断具搬送機構５と、切断する基板を載置固定する切断用治具６が収納されている。
【００３１】
上記扉体３は、上記のように縦断面弧状の前面部と、左右一対の扇形状の側面部とから構成されるものであって、側面部の奥行き、すなわち、扇形の半径に相当する長さは、切断用治具６に載置される試料、さらには、切断用治具６そのものも、側面部から出し入れ可能なように設定されるものである。
また、この奥行きは、筐体２（実施例においては基板切断機１）内で操作される試料や切断用治具６の形体に影響されるが、少なくも筐体２の側面部の長さ、すなわち、奥行きの１／２以上のものが好ましく、奥行きの０．６〜０．７倍の長さがより好ましい。
【００３２】
この扉体３は、前面部が大きいほど試料の出し入れや観察に好都合であるが、余り大きいと、扉体３を持ち上げ、かつ、側面部の扇形の基部を支点として回転させ、筐体２の上部に収納させることができなくなる。
しかしながら、前面の開口部は可能な限り大きいのが好ましいので、前面部は、扇形状における中心角が４５°以上、好ましくは６０〜８０°である扇形状により構成される弧状を縦断面に形成することが好ましい。
なお、扉体３には、扉体３を手動で開閉するための把手７が設けられている。
また、筐体２の前面部下方には、操作用スイッチ、表示灯などが設けられる操作パネル８が設けられている。
【００３３】
図２は、扉体３の開閉機構を示す図である。
前記扉体３は、扇形状の側面部の基部が、筐体２を構成する水平なベース部２１に軸Ｓによって回転可能に支持されている。
なお、この軸Ｓには、捩りコイルバネ２１が付設され、その先端部２１ａが、扉体３を構成する背面側のフレーム３ｂの下方に設けられた係止片３ａと係合し、前記係合片３ａを、常時開放方向に付勢するよう構成されている。
したがって、把手７を上方に持ち上げ、扉体３を開方向に作動させると、前記捩りコイルバネ２１の付勢力によって、扉体３は開方向に移動し始めるが、扉体３自体の重量が比較的軽い場合、例えば、１ｋｇ以下の場合には、把手７を持ち上げるだけで自動的に扉対は開方向に移動する。
【００３４】
しかしながら、扉体３の重量が２ｋｇ程度となると、前記捩りコイルバネ２１の付勢力のみでは、円滑に扉体３を上方に持ち上げて移動させることが難しく、捩りコイルバネ２１の付勢力を強くすれば、閉める場合に強い力を必要とすることになる。
また、捩りコイルバネ２１の付勢力の強くすると、コストアップに繋がるとともに、筐体２に不必要な付加を与えるので、機器の寿命を短くするおそれがある。
【００３５】
そこで、この発明においては、前記筐体２を構成するベース部２ａの後方に立設した支柱２２に、公知のぜんまいユニット２３を付設し、このぜんまいユニット２３を構成する索条２３ａの先端部を、前記フレーム３ｂの上方に係合させ、常時扉体３を開放方向へ引っ張るように付勢している。
【００３６】
これら捩りコイルバネ２１及び／又はぜんまいユニット２３の付勢力を利用し、扉体３を軸支された側面部の扇形の基部を軸として、約３５°程度まで回転させるに際しては、換言すると、扉体３の重心が扉体３の前面部に近い所にある間は、捩りコイルバネ２１の付勢力とぜんまいユニット２３の付勢力が協働して働き、回転が約３５°を超えるようになると、すなわち、扉体３の重心が扉体３の前面部に近い所から後方に移動すると、ぜんまいユニット２３の付勢力のみが働くように調整することが好ましい。
【００３７】
また、扉体３を、上記２種の付勢力で開閉させると、扉体３の動きが急峻となって機器自体に悪影響を与えることも有り得る。
そこで、この発明においては、その動きを和らげるために、前記支柱２２と扉体３のフレーム３ｂとの間にエアシリンダ２４を配置し、空気圧による緩衝で付勢力を吸収させるように構成したもので、空気圧による緩衝は、扉体３の回転が５０°を超えるようになると、機能するように調整しておくのが好ましい。
【００３８】
以上のように、扉体３は、常に捩りコイルバネ２１とゼンマイユニット２３の付勢力によって、開放方向への力が加えられている。
【００３９】
一方、扉体３は、閉止状態では、筐体２のベース部２ａの前面部に設けた電磁式のラッチ装置２５のラッチ２５ａが、扉体３を構成する前面部のフレーム３ｃの内側中央部に形成された係合孔（図示せず）と係合している。
また、前記ラッチ装置２５は、前記筐体２内に配置した切断具４、この切断具４を縦横に搬送させる切断具搬送機構５などを制御する制御部（図示せず）と連動し、切断処理が終了すると、自動的にラッチ２５ａと扉体３との係合が解かれるように構成することによって、切断作業が終了すると、扉体３は、捩りコイルバネ２１とゼンマイユニット２３の付勢力によって自動的に開放方向へ回動し、筐体２の前面部と左右の側面部とが同時に開放されるものである。
【００４０】
したがって、切断用治具６上に載置される試料は、一旦手前に引き出すことなく、開放された筐体２の左右の側面部から横方向に自在に取り出すことができるので、従来のように、処理済みの試料を、手前に引き出したのち、横方向に移動させるという煩瑣な運び出し（取り出し）作業をなくし、効率的に搬送作業を行なうことができるものである。
【００４１】
なお、開放された扉体３の閉止は、把手７を用いて手動で行なわれるもので、手動で開口部閉鎖状態位置へ移動した扉体３は、自動的にラッチ装置２５のラッチ２５ａと係合することによって閉鎖状態に固定される。
【００４２】
また、扉体３は、操作部の稼動中は、開口部を閉鎖状態に保つのが、作業者の安全面、試料の汚染防止の面から好ましいので、ラッチ装置２５による扉体３の閉鎖状態にのみ、すなわち、扉体３がラッチ装置２５に係留されているときのみ操作部が稼動するように、スプリングとリレースイッチなどにより、ラッチ装置２５と電源を連動しておくことが好ましい。
【００４３】
図３に示されるように、捩りコイルバネ９，ぜんまいユニット２３およびエアシリンダ２４は、それぞれ両側面に、合わせて一対設けられている。
【産業上の利用可能性】
【００４４】
この発明の卓上機器用扉および卓上機器は、卓上機器、特にプリント基板の穴あけなどの加工機、基板の複数を一体化した多面取りの基板から、単位となる個々の実装基板に分離する切断・分割機、それらプリント基板の検査機などにおける操作部の開口部を大きくすることができ、試料の出し入れ、加工、さらには検査などにおいての作業性を向上させるものであるので、エレクトロ関連産業を含め各種産業で幅広く利用される可能性が高いものである。
【図面の簡単な説明】
【００４５】
【図１】この発明にかかる卓上機器の一例である基板切断機の斜視図である。
【図２】図１の基板切断機における卓上機器用扉の開閉機構を説明する概略側面図である。
【図３】図１の基板切断機における卓上機器用扉の機構を説明する概略平面図である。
【符号の説明】
【００４６】
１          基板切断機
２          筐体
２ａ        ベース部
３          扉体
３ａ        係止片
３ｂ，３ｃ  扉体のフレーム
４          切断具
５          切断具搬送機構
６          切断用治具
７          把手
８          操作パネル
２１        捩りコイルバネ
２１ａ      捩りコイルバネの先端部
２２        支柱
２３        ぜんまいユニット
２３ａ      ぜんまいユニットの索条
２４        エアシリンダ
２５        ラッチ装置
２５ａ      ラッチ
【図１】
2008290221.tif 000003
【図２】
2008290221.tif 000004
【図３】
2008290221.tif 000005